(57)【要約】【課題】アナログ映像信号を用いて、コモン電極に印加される電圧のずれの補正を行うときにも、補正精度を高いものとする。【解決手段】信号処理部２に入力されるアナログ映像信号４０１の調整画像エリアに対応する信号レベルを、コモン電極と画素電極１５との間に印加される印加電圧を横軸によって示し、液晶の透過率を縦軸によって示す平面における印加電圧と透過率との関係を示す特性曲線において、透過率が０近傍となる側であって、特性曲線の曲率半径が最も小さくなる印加電圧の近傍値に対応するレベルに設定し、コモン電極に印加する電圧を、調整画像エリアの輝度が最も低くなるように設定する。【選択図】  図１
2005258033.tif 000002
【特許請求の範囲】
【請求項１】
コモン電極とコモン電極に対向する画素電極と画素電極のそれぞれに対応する薄膜トランジスタとが形成された液晶パネルと、
液晶パネルのＸ方向に並ぶソース線を駆動するソースドライバと、
液晶パネルのＹ方向に並ぶゲート線を駆動するゲートドライバと、
入力されるアナログ映像信号を所定処理して得られたソースドライバ用信号をソースドライバに送出するとともに、前記アナログ映像信号を所定処理して得られたゲートドライバ用信号をゲートドライバに送出する信号処理部とを備え、
コモン電極と画素電極との間に印加される電圧の極性が一定の周期毎に反転される液晶表示装置のコモン電極に印加する電圧を変化させることによってフリッカ調整を行う液晶表示装置の調整方法において、
信号処理部に入力されるアナログ映像信号の調整画像エリアに対応する信号レベルを、コモン電極と画素電極との間に印加される印加電圧を横軸によって示し、コモン電極と画素電極との間に位置する液晶の透過率を縦軸によって示す平面における印加電圧と透過率との関係を示す特性曲線において、透過率が０近傍となる側であって、特性曲線の曲率半径が最も小さくなる印加電圧の近傍値に対応するレベルに設定するとともに、前記アナログ映像信号を、調整画像エリアに隣接してＸ方向に伸び且つＹ方向における幅が１走査線分または２走査線分の幅である黒線を表示する信号とし、
コモン電極に印加する電圧を、アナログ映像信号により示される画像を表示した液晶パネルにおける調整画像エリアの輝度が最も低くなる電圧に設定することを特徴とする液晶表示装置の調整方法。
【請求項２】
コモン電極とコモン電極に対向する画素電極とが形成された液晶パネルと、
液晶パネルのＸ方向に並ぶデータ線を駆動するデータドライバと、
液晶パネルのＹ方向に並ぶアドレス線を駆動するアドレスドライバと、
入力されるアナログ映像信号を所定処理して得られたデータドライバ用信号をデータドライバに送出するとともに、前記アナログ映像信号を所定処理して得られたアドレスドライバ用信号をアドレスドライバに送出する信号処理部とを備え、
コモン電極と画素電極との間に印加される電圧の極性が一定の周期毎に反転される液晶表示装置のコモン電極に印加する電圧を変化させることによってフリッカ調整を行う液晶表示装置の調整方法において、
信号処理部に入力されるアナログ映像信号の調整画像エリアに対応する信号レベルを、コモン電極と画素電極との間に印加される印加電圧を横軸によって示し、コモン電極と画素電極との間に位置する液晶の透過率を縦軸によって示す平面における印加電圧と透過率との関係を示す特性曲線において、透過率が０近傍となる側であって、特性曲線の曲率半径が最も小さくなる印加電圧の近傍値に対応するレベルに設定し、
コモン電極に印加する電圧を、アナログ映像信号により示される画像を表示した液晶パネルにおける調整画像エリアの輝度が最も低くなる電圧に設定することを特徴とする液晶表示装置の調整方法。
【請求項３】
信号処理部に入力されるアナログ映像信号を、調整画像エリアに隣接してＸ方向に伸びる黒線を表示する信号としたことを特徴とする請求項２記載の液晶表示装置の調整方法。
【発明の詳細な説明】
【技術分野】
【０００１】
本発明は、コモン電極と画素電極との間に印加される電圧の極性が一定の周期毎に反転される液晶表示装置のコモン電極に印加する電圧を変化させることによってフリッカ調整を行う液晶表示装置の調整方法に関するものである。
【背景技術】
【０００２】
ガラス基板に薄膜トランジスタ（以下ではＴＦＴと称する）が形成された液晶パネルを有する液晶表示装置が広く使用されており、図８は、その従来技術を示している。同図に示す装置は、Ａ／Ｄ変換部２１、Ｙ／Ｃ分離部２２、ＴＶ信号処理部２３、スケーリング処理部２４が１つのＩＣ２Ａの内部に集積化されている。また、スケーリング処理部２４から出力される信号に基づいて、ソースドライバ１１に入力されるソースドライバ用信号２０１と、ゲートドライバ１２に入力されるゲートドライバ用信号２０２とを生成して出力するタイミングコントローラ２５は、ＩＣ２Ａとは異なるＩＣ２Ｂの内部に集積化されている。
【０００３】
また、フリッカが生じるときにも、フリッカを目立たなくするため、図５に示すパターンでもって印加する電圧の極性反転を行っている。すなわち、原色を示すドットであるサブドットのそれぞれには、隣合うサブドットとは逆極性の電圧を印加するようになっている。また、縦方向においては、隣合う走査線とは逆極性の電圧を印加するようになっている。すなわち、同一極性に駆動されるサブドットが、千鳥格子状に分布するようにしている。
【０００４】
一方、フリッカ調整を行うときには、フリッカの発生を目立ちやすくする必要がある。このため、液晶パネル１３のフリッカ調整を行う場合には、タイミングコントローラ２５に入力される信号を、スケーリング処理部２４が出力する信号から、調整デジタル信号発生部９１より出力されるデジタル信号（検査用テスト信号）に切り換え、隣合うサブドットの一方には黒を示すレベルの電圧が印加され、他方には白を示すレベルの電圧が印加されるようにしている。すなわち、図５の斜線が付されたサブドットには黒を示すレベルの電圧が印加され、斜線が付されていないサブドットには白を示すレベルの電圧が印加されるようにしている。その結果、白を示すサブドットの全てが同じ極性となり、黒を示すサブドットの全てが同じ極性となって、極性反転における白レベルの輝度変化が目立ち易くなるので、フリッカ調整における調整の精度が高められることになる（第１の従来技術とする）。
【０００５】
また以下に示す従来技術が提案されている（第２の従来技術とする）。すなわち、この技術においては、水平方向または垂直方向の一方の方向において、３つの白パターンと２つの黒パターンとが交互に並ぶパターン表示とし、白パターン部分に発生するフリッカが消えるようにフリッカ調整を行うことが開示されている。また、水平方向と垂直方向との双方において画面を５つに分割し、隣合うエリアの一方を白パターン、他方を黒パターンとする千鳥格子状のパターンを表示した状態において、フリッカ調整を行うことが開示されている（例えば、特許文献１参照）。
【０００６】
また、以下に示す従来技術が提案されている（第３の従来技術とする）。すなわち、この技術においては、２本の走査線を単位として、白と黒とを交互に表示する場合（縦伸長モードとする場合）には、１本の走査線を単位として、白と黒とを交互に表示する場合（フルモードの場合）よりフリッカが目立ちやすくなるので、２本の走査線を単位として、白と黒とを交互に表示してフリッカ調整を行うことが開示されている（例えば、特許文献２参照）。
【特許文献１】特開平１０−３３３１８４号
【特許文献２】特開２００２−１４９１２３号
【発明の開示】
【発明が解決しようとする課題】
【０００７】
しかしながら、タイミングコントローラ２５を、Ａ／Ｄ変換部２１、Ｙ／Ｃ分離部２２、ＴＶ信号処理部２３、および、スケーリング処理部２４の４つのブロックが集積化されたＩＣ２Ａの内部に集積化する場合、タイミングコントローラ２５には、ＩＣ２Ａの内部において、スケーリング処理部２４から出力される信号が導かれる。その結果、フリッカ調整を行うために最適となる信号（調整用デジタル信号発生部９１より出力されるデジタル信号であり、フリッカを最も目立ちやすくするため、駆動の極性が同一となる２群のサブドット群の一方を白、他方を黒とする信号）を、タイミングコントローラ２５に与えることができなくなる。従って、フリッカ調整においては、ＩＣ２Ａの外部より、調整用のアナログ映像信号をＡ／Ｄ変換部２１に入力することになる。しかし、調整用の信号にアナログ映像信号を用いる場合には、サブドット単位で、白または黒の表示を行わせることはできない。これは、アナログ映像信号におけるレベル変化のタイミングを、サブドットの表示のタイミングに精密に一致させることが極めて困難なためである。その結果、コモン電極に印加する電圧にずれが生じる場合にも、フリッカの発生が分かりにくくなり、コモン電極に印加される電圧のずれの補正を精度良く行うことが困難となっていた。
【０００８】
第２の従来技術は、水平方向または垂直方向の一方の方向、あるいは、水平方向と垂直方向との双方の方向において、画面を複数に分割し、隣合うエリアの一方を白パターン、他方を黒パターンとした状態において、コモン電極に印加する電圧を調整する技術となっていて、サブドットに対応した分割を行うようにはなっていない。一方、サブドットを単位として極性を反転させるとともに、走査線毎に極性を反転させる駆動方法は、通常の映像信号を表示した場合には、フリッカを極めて目立ちにくくする駆動方法となっている。このため、第２の従来技術に示された表示パターンを用いる場合では、フリッカが目立ちにくいので、コモン電極に印加される電圧のずれの補正精度を高めることが困難となっている。
【０００９】
第３の従来技術は、２本の走査線を単位として、白と黒とを交互に表示するが、サブドットに対応した分割を行うようにはなっていない。一方、サブドットを単位として極性を反転させるとともに、走査線毎に極性を反転させる駆動方法は、通常の映像信号を表示した場合には、フリッカを極めて目立ちにくくする駆動方法となっている。このため、第３の従来技術に示された表示パターンを用いる場合では、フリッカが目立ちにくいので、コモン電極に印加される電圧のずれの補正精度を高めることが困難となっている。
【００１０】
本発明は、上記の問題点を解決するため創案されたものであり、その目的は、アナログ映像信号を用いてコモン電極に印加される電圧のずれの補正を行うときにも、補正精度を極めて高いものとすることのできる液晶表示装置の調整方法を提供することにある。
【００１１】
また本発明の目的は、フリッカ調整に使用するアナログ映像信号の信号レベルを、印加電圧を横軸によって示し、透過率を縦軸で示す平面における印加電圧と透過率との関係を示す特性曲線において、透過率が０近傍となる側であって、特性曲線の曲率半径が最も小さくなる印加電圧の近傍値に対応するレベルに設定し、コモン電極に印加する電圧を、アナログ映像信号により示される画像の輝度が最も低くなる電圧に設定することにより、アナログ映像信号を用いてコモン電極に印加される電圧のずれの補正を行うときにも、補正精度を高いものとすることのできる液晶表示装置の調整方法を提供することにある。
【００１２】
また上記目的に加え、調整に用いるアナログ映像信号を、輝度を示すエリアに隣接して黒線が表示される信号とすることにより、コモン電極に印加される電圧のずれの補正精度を、より高めることのできる液晶表示装置の調整方法を提供することにある。
【課題を解決するための手段】
【００１３】
上記の課題を解決するため、本発明に係る液晶表示装置の調整方法は、コモン電極とコモン電極に対向する画素電極と画素電極のそれぞれに対応する薄膜トランジスタとが形成された液晶パネルと、液晶パネルのＸ方向に並ぶソース線を駆動するソースドライバと、液晶パネルのＹ方向に並ぶゲート線を駆動するゲートドライバと、入力されるアナログ映像信号を所定処理して得られたソースドライバ用信号をソースドライバに送出するとともに、前記アナログ映像信号を所定処理して得られたゲートドライバ用信号をゲートドライバに送出する信号処理部とを備え、コモン電極と画素電極との間に印加される電圧の極性が一定の周期毎に反転される液晶表示装置のコモン電極に印加する電圧を変化させることによってフリッカ調整を行う液晶表示装置の調整方法に適用している。そして、信号処理部に入力されるアナログ映像信号の調整画像エリアに対応する信号レベルを、コモン電極と画素電極との間に印加される印加電圧を横軸によって示し、コモン電極と画素電極との間に位置する液晶の透過率を縦軸によって示す平面における印加電圧と透過率との関係を示す特性曲線において、透過率が０近傍となる側であって、特性曲線の曲率半径が最も小さくなる印加電圧の近傍値に対応するレベルに設定するとともに、前記アナログ映像信号を、調整画像エリアに隣接してＸ方向に伸び且つＹ方向における幅が１走査線分または２走査線分の幅である黒線を表示する信号とし、コモン電極に印加する電圧を、アナログ映像信号により示される画像を表示した液晶パネルにおける調整画像エリアの輝度が最も低くなる電圧に設定するようになっている。
【００１４】
すなわち、信号処理部に入力されるアナログ映像信号の調整画像エリアに対応する信号レベルを、印加電圧を横軸によって示し、透過率を縦軸によって示す平面における印加電圧と透過率との関係を示す特性曲線において、透過率が０近傍となる側であって、特性曲線の曲率半径が最も小さくなる印加電圧の近傍値に対応するレベルに設定した場合、プラス極性の駆動時の透過率とマイナス極性の駆動時の透過率との平均値は、コモン電極に印加される電圧のずれ量の増加に対応して大きくなる。すなわち、コモン電極に印加される電圧にずれがあると、調整画像エリアの輝度が高くなる。従って、調整画像エリアの輝度が最も低くなるように、コモン電極に印加する電圧を調整すると、コモン電極に印加される電圧はずれの無い電圧となる。また、黒線は、コモン電極に印加される電圧にずれが生じるときにも、輝度が変化しないので、調整画像エリアの輝度の変化が、より見やすいものとなる。また、コモン電極に印加される電圧にずれが生じるときには、黒線の太さ方向に滲みが生じるという現象が観測される。従って、黒線の幅を１走査線分または２走査線分の幅とするときでは、太さ方向の滲みの有無が、より分かりやすくなる。
【００１５】
また本発明に係る液晶表示装置の調整方法は、コモン電極とコモン電極に対向する画素電極とが形成された液晶パネルと、液晶パネルのＸ方向に並ぶデータ線を駆動するデータドライバと、液晶パネルのＹ方向に並ぶアドレス線を駆動するアドレスドライバと、入力されるアナログ映像信号を所定処理して得られたデータドライバ用信号をデータドライバに送出するとともに、前記アナログ映像信号を所定処理して得られたアドレスドライバ用信号をアドレスドライバに送出する信号処理部とを備え、コモン電極と画素電極との間に印加される電圧の極性が一定の周期毎に反転される液晶表示装置のコモン電極に印加する電圧を変化させることによってフリッカ調整を行う液晶表示装置の調整方法に適用している。そして、信号処理部に入力されるアナログ映像信号の調整画像エリアに対応する信号レベルを、コモン電極と画素電極との間に印加される印加電圧を横軸によって示し、コモン電極と画素電極との間に位置する液晶の透過率を縦軸によって示す平面における印加電圧と透過率との関係を示す特性曲線において、透過率が０近傍となる側であって、特性曲線の曲率半径が最も小さくなる印加電圧の近傍値に対応するレベルに設定し、コモン電極に印加する電圧を、アナログ映像信号により示される画像を表示した液晶パネルにおける調整画像エリアの輝度が最も低くなる電圧に設定するようになっている。
【００１６】
すなわち、信号処理部に入力されるアナログ映像信号の調整画像エリアに対応する信号レベルを、印加電圧を横軸によって示し、透過率を縦軸によって示す平面における印加電圧と透過率との関係を示す特性曲線において、透過率が０近傍となる側であって、特性曲線の曲率半径が最も小さくなる印加電圧の近傍値に対応するレベルに設定した場合、プラス極性の駆動時の透過率とマイナス極性の駆動時の透過率との平均値は、コモン電極に印加される電圧のずれ量の増加に対応して大きくなる。すなわち、コモン電極に印加される電圧にずれがあると、調整画像エリアの輝度が高くなる。従って、調整画像エリアの輝度が最も低くなるように、コモン電極に印加する電圧を調整すると、コモン電極に印加される電圧はずれの無い電圧となる。
【００１７】
また上記構成に加え、信号処理部に入力されるアナログ映像信号を、調整画像エリアに隣接してＸ方向に伸びる黒線を表示する信号としている。すなわち、黒線は、コモン電極に印加される電圧にずれが生じるときにも、輝度が変化しない。従って、調整画像エリアの輝度の変化が、より見やすいものとなる。
【発明の効果】
【００１８】
本発明では、信号処理部に入力されるアナログ映像信号の信号レベルを、印加電圧を横軸によって示し、透過率を縦軸によって示す平面における印加電圧と透過率との関係を示す特性曲線において、透過率が０近傍となる側であって、特性曲線の曲率半径が最も小さくなる印加電圧の近傍値に対応するレベルに設定している。また、アナログ映像信号を、調整画像エリアに隣接してＸ方向に伸び且つＹ方向における幅が１走査線分または２走査線分の幅である黒線を表示する信号としている。このため、コモン電極に印加される電圧にずれがあると、調整画像エリアの輝度が高くなる。従って、調整画像エリアの輝度が最も低くなるように、コモン電極に印加する電圧を調整すると、コモン電極に印加される電圧は、ずれの無い電圧となる。また、黒線は、コモン電極に印加される電圧にずれが生じるときにも、輝度が変化しないので、調整画像エリアの輝度の変化が、より見やすいものとなる。また、コモン電極に印加される電圧にずれが生じるときには、黒線の太さ方向に滲みが生じるという現象が観測されるので、黒線の幅を１走査線分または２走査線分の幅とするときでは、太さ方向の滲みの有無が、より分かりやすくなる。このため、アナログ映像信号を用いて、コモン電極に印加される電圧のずれの補正を行うときにも、補正精度を極めて高いものとすることができる。
【００１９】
また本発明では、信号処理部に入力されるアナログ映像信号の信号レベルを、印加電圧を横軸によって示し、透過率を縦軸によって示す平面における印加電圧と透過率との関係を示す特性曲線において、透過率が０近傍となる側であって、特性曲線の曲率半径が最も小さくなる印加電圧の近傍値に対応するレベルに設定している。このため、コモン電極に印加される電圧にずれがあると、調整画像エリアの輝度が高くなる。従って、調整画像エリアの輝度が最も低くなるように、コモン電極に印加する電圧を調整すると、コモン電極に印加される電圧は、ずれのない電圧となるので、アナログ映像信号を用いて、コモン電極に印加される電圧のずれの補正を行うときにも、補正精度を高いものとすることができる。
【００２０】
またさらに、信号処理部に入力されるアナログ映像信号を、調整画像エリアに隣接してＸ方向に伸びる黒線を表示する信号としている。すなわち、黒線は、コモン電極に印加される電圧にずれが生じるときにも、輝度が変化しない。従って、調整画像エリアの輝度の変化が、より見やすいものとなるので、コモン電極に印加される電圧のずれの補正精度を、より高めることができる。
【発明を実施するための最良の形態】
【００２１】
以下、本発明の実施の形態について図を参照して説明する。
【００２２】
図１は、本発明に係る液晶表示装置の調整方法の一実施形態が適用される液晶表示装置の電気的構成を示すブロック線図であり、テレビ受像機に使用される表示装置を示していて、図８に示す構成と同一となるブロックには、図８における符号と同一符号が付与されている。
【００２３】
図において、Ａ／Ｄ変換部２１は、図示されないチューナから送出されるアナログ映像信号、あるいは、装置本体に設けられた入力端子（図示を省略）等を介して導かれるアナログ映像信号をデジタル映像信号にＡ／Ｄ変換し、Ｙ／Ｃ分離部２２に出力する。Ｙ／Ｃ分離部２２は、Ａ／Ｄ変換部２１から出力されるデジタル映像信号を、輝度デジタル信号と色デジタル信号とに分離し、ＴＶ信号処理部２３に出力する。
【００２４】
なお、Ｙ／Ｃ分離部２２は、Ａ／Ｄ変換部２１に入力されるアナログ映像信号が、例えば、Ｓ映像信号のように、輝度信号成分と色信号成分とに既に分離されており、Ａ／Ｄ変換部２１から出力される信号が、輝度デジタル信号と色デジタル信号とになる場合には、Ａ／Ｄ変換部２１から出力される輝度デジタル信号と色デジタル信号とを、そのままの状態でＴＶ信号処理部２３に出力する。
【００２５】
ＴＶ信号処理部２３は、Ｙ／Ｃ分離部２２より出力される輝度デジタル信号と色デジタル信号とから３つの原色色信号を生成し、スケーリング処理部２４に出力する。スケーリング処理部２４は、ＴＶ信号処理部２３から出力される原色色信号を、表示するアスペクト比に対応した信号となるように処理し、タイミングコントローラ２５に出力する。
【００２６】
タイミングコントローラ２５は、スケーリング処理部２４より出力される信号から、ソースドライバ（データドライバ）１１に入力されるソースドライバ用信号（データドライバ用信号）２０１と、ゲートドライバ（アドレスドライバ）１２に入力されるゲートドライバ用信号（アドレスドライバ用信号）２０２とを生成する。コモン電圧調整部２６は、液晶パネル１３のコモン電極に印加する電圧（コモン電圧）を変化させる。
【００２７】
液晶パネル１３は、アクティブマトリクス方式の表示パネルとなっており、液晶を挟んで対向する２枚のガラス基板を備えている。そして、前記２枚のガラス基板のうちの一方のガラス基板にはコモン電極（図示を省略）が形成されている。また、２枚のガラス基板のうちの他方のガラス基板には、コモン電極に対向し、マトリスク状に配置された複数の画素電極１５が形成されるとともに、画素電極１５に信号を導く経路の接続の開閉を行うＴＦＴ（薄膜トランジスタ）１４が、画素電極１５のそれぞれ毎に形成されている。
【００２８】
ＴＦＴ１４のソースに接続されたソース線１４Ｘは、請求項記載の液晶パネル１３のＸ方向に並ぶデータ線となっており、ＴＦＴ１４のゲートに接続されたゲート線１４Ｙは、請求項記載の液晶パネル１３のＹ方向に並ぶアドレス線となっている。そして、ソースドライバ１１は、ソースドライバ用信号２０１に基づいて生成した駆動信号でもってソース線１４Ｘを駆動する。また、ゲートドライバ１２は、ゲートドライバ用信号２０２に基づいて生成した駆動信号でもってゲート線１４Ｙを駆動する。
【００２９】
なお、Ａ／Ｄ変換部２１、Ｙ／Ｃ分離部２２、ＴＶ信号処理部２３、スケーリング処理部２４、タイミングコントローラ２５、および、コモン電圧調整部２６からなるブロック２は、請求項記載の信号処理部を形成しており、１つの信号処理ＩＣの内部に集積化されている。このため、タイミングコントローラ２５に入力される信号は、スケーリング処理部２４から出力される信号に固定されていて、信号処理ＩＣ２の外部から、タイミングコントローラ２５に、直接に、調整用のデジタル映像信号を入力することができない構成となっている。
【００３０】
また、なお、ソースドライバ１１は、液晶パネル１３のガラス基板に接続されたフレキシブル基板に搭載されており、ゲートドライバ１２は、画素電極１５やＴＦＴ１４が形成されたガラス基板にＣＯＧ（Ｃｈｉｐ  Ｏｎ  Ｇｌａｓｓ）実装されている。すなわち、ソースドライバ１１、ゲートドライバ１２、および、液晶パネル１３からなるブロック１は、表示ユニットとしてブロック化されている。
【００３１】
制御部３は、マイクロコンピュータを主要部として構成されており、テレビ受像機としての主要動作を実行する。すなわち、リモートコントローラに入力された指示を示す信号３０１に従って、図示されないチューナが受信するチャンネルを制御する。また、信号処理部２の動作を制御する。また、リモートコントローラからの指示に従って、コモン電圧調整部２６がコモン電極に印加する電圧を、上昇させたり、下降させたりする。
【００３２】
なお、液晶パネル１３の駆動方法は、従来技術と同一となっている。すなわち、図５（Ａ）、（Ｂ）に示したように、原色のそれぞれに対応して形成されたサブドットを単位として、隣り合うサブドットに印加される電圧の極性は、水平方向と垂直方向との双方において、反転されるようになっている。
【００３３】
詳細には、サブドット１３１を例として説明すると、（Ｂ）に示したように、サブドット１３１がマイナス極性で駆動される場合、水平方向において隣合うサブドット１３２，１３３はプラス極性で駆動される。また、垂直方向において隣合うサブドット１３４も、プラス極性で駆動される。そして、（Ｃ）に示したように、サブドット１３１がプラス極性で駆動される場合には、サブドット１３２〜１３４はマイナス極性で駆動される（同一サブドットの極性の反転は、１フィールド毎に行われる）。
【００３４】
上記構成からなる液晶表示装置のフリッカ調整の方法について説明する。なお、以下における説明では、突き貫け電圧は無視するものとする。
【００３５】
フリッカ調整を行う場合には、Ａ／Ｄ変換部２１に、調整信号発生部４が生成する調整用のアナログ映像信号（以下では、単に映像信号と称する）４０１を入力する。映像信号４０１は、図６に示したように、調整画像エリア５１のそれぞれに隣接して、Ｘ方向（図における左右方向（走査線方向）であり、液晶パネル１３の画面を横長状態とするときの水平方向）に伸びる黒線５２が表示される画像を示す信号となっている。すなわち、映像信号４０１は、黒線５２を用いることにより、液晶パネル１３の画面を、垂直方向において、５つの調整画像エリア（以下では、単にエリアと称する）５１に分割した画像を示す信号となっている。なお、黒線５２は１水平走査分の幅の黒線となっており、エリア５１は、液晶の透過率が約３％となる暗い一様な灰色となっている。
【００３６】
ここで、コモン電極と画素電極１５との間に印加される電圧（以下では、単に印加電圧と称する）と、コモン電極と画素電極１５との間に位置する液晶の透過率（以下では、単に透過率と称する）との関係について、図２を参照しつつ説明する。
【００３７】
液晶パネル１３においては、印加電圧が０Ｖ〜１．５Ｖとなる場合、印加電圧が上昇するときにも、透過率は大きな変化を示さない。そして、印加電圧が１．５Ｖから２．７の範囲を変化する場合、透過率は、印加電圧の変化に対して大きく変化する。そして、印加電圧が２．７Ｖを超える場合、印加電圧の上昇に対する透過率の減少の割合は小さくなる。
【００３８】
従って、液晶パネル１３における印加電圧と透過率との関係を示す特性曲線は、横軸が印加電圧を示し、縦軸が透過率を示す平面においては、図２に示す曲線となる。すなわち、印加電圧が１．５Ｖの近傍（透過率が１００％の近傍となる）と、２．７Ｖの近傍（透過率が０近傍となる）とにおいて、曲率半径が最小値を示す曲線となる。
【００３９】
このため、信号処理部２に入力されるアナログ映像信号（Ａ／Ｄ変換部２１に入力される映像信号）４０１がエリア５１を表示するときの信号のレベルは、印加電圧が２．７Ｖとなるように設定される。すなわち、エリア５１が暗い灰色となるように、映像信号４０１の信号レベルが設定される。従って、エリア５１においては、コモン電極と画素電極１５との間に印加される電圧は２．７Ｖとなる。
【００４０】
図３は、印加電圧が２．７Ｖの近傍となるときの特性曲線を詳細に示している。すなわち、印加電圧が２．７Ｖとなるときには透過率は３．３％、印加電圧が２．５Ｖとなるときには透過率は１０％、印加電圧が２．９Ｖとなるときには透過率は２．３％となることが示されている。
【００４１】
いま、映像信号４０１が入力されているとする。この状態において、コモン電極に印加される電圧にずれが生じているとする。すなわち、フリッカが発生する状態にあるとする。この場合であっても、サブドットを単位として、千鳥格子状に、印加電圧の極性が反転する駆動方法となっているので、フリッカの発生は殆ど認められない状態にある。しかし、コモン電極に印加される電圧にずれが生じていると、液晶パネル１３の寿命を短くする、等の不具合を発生する。
【００４２】
一方、コモン電極に印加される電圧が２．７Ｖである場合のエリア５１の明るさと、２．７Ｖからずれた場合のエリア５１の明るさとを比べてみると、図４に示したようになる。すなわち、ずれが０Ｖの場合（ずれが無い場合）、印加電圧がプラス極性になる場合と、マイナス極性になる場合との双方において、透過率は３．３％となる。つまり、透過率の平均値は３．３％となる。
【００４３】
一方、コモン電極に印加される電圧のずれが、例えば、プラス側に０．２Ｖだけ高くなっているとすると、プラス極性となるときの印加電圧は２．５Ｖとなり、マイナス極性となるときの印加電圧は２．９Ｖとなる。従って、プラス極性になるときの透過率は１０％、マイナス極性になるときの透過率は２．３％となるので、透過率の平均値は６．１５％となる。
【００４４】
すなわち、エリア５１が表示されるときの印加電圧が、特性曲線における曲率半径が最小となる電圧（２．７Ｖ）となるように、映像信号４０１の信号レベルを設定すると、コモン電極に印加する電圧のずれ量が大きくなるのに対応して、透過率の平均値が大きくなる。このことは、エリア５１の輝度が最も低くなるように、コモン電極に印加する電圧を調整すると、プラス極性における印加電圧と、マイナス極性における印加電圧とが等しくなり、印加電圧のずれが０となって、フリッカの発生や、液晶パネル１３の寿命を短くする、等といった不具合の発生が最も抑制されることを示している。
【００４５】
従って、生産ラインにおいては、映像信号４０１を、アナログ映像信号の入力端子に入力し、リモートコントローラを用いて、コモン電圧調整部２６がコモン電極に出力する電圧を変化させ、エリア５１の明るさが最も暗くなるように調整するだけで、フリッカ調整を完了させることができる。
【００４６】
また、映像信号４０１は、黒線５２を表示する信号となっている。且つ、エリア５１は暗い灰色となっていて、黒線５２の輝度との差異は少なくなっている。このため、エリア５１の輝度が最も暗くなる状態の把握が容易となる。従って、コモン電極に印加する電圧を変化させているときに、コモン電極に印加する電圧を、ずれが０となる電圧に設定することが容易となっている。
【００４７】
また、実機における調整においては、コモン電極に印加する電圧にずれが生じると、図７に示したように、黒線５２の上下に、同一極性で駆動されるサブドットに対応した滲み５２１が観察されるという現象があり、この滲み５２１はずれ量に対応している。従って、黒線５２を、１水平走査線分の幅、または、２水平走査線分の幅とするときでは、滲み５２１の発生の把握が容易となる。このため、黒線５２を表示する場合では、コモン電極に印加する電圧のずれを０にするための調整作業を、より容易なものにすることができている。
【図面の簡単な説明】
【００４８】
【図１】本発明に係る液晶表示装置の調整方法の一実施形態が適用される液晶表示装置の電気的構成を示すブロック線図である。
【図２】コモン電極と画素電極との間に印加される電圧と、コモン電極と画素電極との間に位置する液晶の透過率との関係を示す特性曲線の説明図である。
【図３】特性極性の一部を拡大して示す説明図である。
【図４】コモン電極に印加する電圧のずれと液晶の透過率の平均値との関係を示す説明図である。
【図５】画素電極の駆動方法を示す説明図である。
【図６】フリッカ調整時に液晶パネルに表示される画像を示す説明図である。
【図７】コモン電極に印加する電圧がずれたときの黒線の滲みを示す説明図である。
【図８】従来技術の電気的構成を示すブロック線図である。
【符号の説明】
【００４９】
１  表示ユニット
２  信号処理部
１１  ソースドライバ（データドライバ）
１２  ゲートドライバ（アドレスドライバ）
１３  液晶パネル
１４  薄膜トランジスタ
１５  画素電極
５１  調整画像エリア
５２  黒線
１３１〜１３４  原色に対応するサブドット
２０１  ソースドライバ用信号（データドライバ用信号）
２０２  ゲートドライバ用信号（アドレスドライバ用信号）
４０１  調整用のアナログ映像信号
【図１】
2005258033.tif 000003
【図２】
2005258033.tif 000004
【図３】
2005258033.tif 000005
【図４】
2005258033.tif 000006
【図５】
2005258033.tif 000007
【図６】
2005258033.tif 000008
【図７】
2005258033.tif 000009
【図８】
2005258033.tif 000010